(57)【要約】【課題】アナモフィック光学部品を移動可能に備えたプロジェクターにおいて、誤操作による待ち時間を抑える。【解決手段】プロジェクター１は、光源部２１から射出された光を変調して画像を投射する投射部２０と、画像のアスペクト比を変換するアナモフィックレンズ４２と、外部からの操作を検出する信号受信部１６および操作部１７と、信号受信部１６または操作部１７により検出された操作に応じてアナモフィックレンズ４２を移動するレンズ移動機構４１と、信号受信部１６または操作部１７によりアナモフィックレンズ４２の移動を示す操作が検出された場合、レンズ移動機構４１によりアナモフィックレンズ４２を移動する前に、アナモフィックレンズ４２の移動の可否を選択可能とするレンズ移動制御部１３と、を備える。【選択図】図１
2013239835.tif 000002
【特許請求の範囲】
【請求項１】
光源から射出された光を変調して画像を投射する投射手段と、
前記画像のアスペクト比を変換するアナモフィック光学部品と、
外部からの操作を検出する操作検出手段と、
前記操作検出手段により検出された操作に応じて前記アナモフィック光学部品を移動する移動手段と、
前記操作検出手段により前記アナモフィック光学部品の移動を示す操作が検出された場合、前記移動手段により前記アナモフィック光学部品を移動する前に、前記アナモフィック光学部品の移動の可否を選択可能とする光学系制御手段と、
を備えることを特徴とするプロジェクター。
【請求項２】
請求項１に記載のプロジェクターであって、
前記光学系制御手段は、前記移動を示す操作が前記アナモフィック光学部品の使用状態への切り替えを示す場合、前記操作検出手段により前記アナモフィック光学部品の移動の可否が検出される前に、前記アナモフィック光学部品が前記画像を拡大する方向に対して垂直方向に前記画像を伸長する伸長処理を実行することを特徴とするプロジェクター。
【請求項３】
請求項２に記載のプロジェクターであって、
前記光学系制御手段は、前記操作検出手段により前記アナモフィック光学部品を移動させないことが検出された場合に、前記画像に対して実行された前記伸長処理を解除することを特徴とするプロジェクター。
【請求項４】
請求項２または３に記載のプロジェクターであって、
前記光学系制御手段は、前記移動を示す操作が前記アナモフィック光学部品の不使用状態への切り替えを示す場合、前記操作検出手段により前記アナモフィック光学部品の移動の可否が検出される前に、前記アナモフィック光学部品が前記画像を拡大する方向に対して垂直方向に前記画像を縮小する縮小処理を実行することを特徴とするプロジェクター。
【請求項５】
請求項４に記載のプロジェクターであって、
前記光学系制御手段は、前記操作検出手段により前記アナモフィック光学部品を移動させないことが検出された場合に、前記画像に対して実行された前記縮小処理を解除することを特徴とするプロジェクター。
【請求項６】
画像のアスペクト比を変換するアナモフィック光学部品を備え、光源から射出された光を変調して画像を投射するプロジェクターの制御方法であって、
外部から前記アナモフィック光学部品の移動を示す操作を検出するステップと、
検出された移動を示す操作に応じて前記アナモフィック光学部品を移動するステップと、
前記アナモフィック光学部品を移動する前に、前記アナモフィック光学部品の移動の可否を選択可能とするステップと、
を備えることを特徴とするプロジェクターの制御方法。
【発明の詳細な説明】
【技術分野】
【０００１】
本発明は、プロジェクター、及びプロジェクターの制御方法に関する。
【背景技術】
【０００２】
従来、アスペクト比を変換させるためのアナモフィック光学系を備えたプロジェクターが知られている（例えば、特許文献１参照）。特許文献１に記載のプロジェクターは、アナモフィックレンズをスライド移動させる機構を備え、投射する画像のアスペクト比に応じて、アナモフィックレンズを使用する状態と、使用しない状態とを切り替え可能である。
【先行技術文献】
【特許文献】
【０００３】
【特許文献１】米国特許第７６５４６７８号公報
【発明の概要】
【発明が解決しようとする課題】
【０００４】
ところで、レンズを含む光学部品は繊細であり、その位置の正確性は投射画像の品質に影響する。このため、特許文献１に記載されたアナモフィックレンズのように、光学部品を移動させる場合、高速で移動させることは無く、比較的低速で移動させることが一般的である。このため、誤って光学部品の移動を指示する操作を行ってしまった場合は、移動が終了し、さらに光学部品をもとの位置に復帰させるまで、長時間待たなければならなかった。
本発明は、上述した事情に鑑みてなされたものであり、アナモフィック光学部品を移動可能に備えたプロジェクターにおいて、誤操作による待ち時間を抑えることを目的とする。
【課題を解決するための手段】
【０００５】
上記目的を達成するために、本発明のプロジェクターは、光源から射出された光を変調して画像を投射する投射手段と、前記画像のアスペクト比を変換するアナモフィック光学部品と、外部からの操作を検出する操作検出手段と、前記操作検出手段により検出された操作に応じて前記アナモフィック光学部品を移動する移動手段と、前記操作検出手段により前記アナモフィック光学部品の移動を示す操作が検出された場合、前記移動手段により前記アナモフィック光学部品を移動する前に、前記アナモフィック光学部品の移動の可否を選択可能とする光学系制御手段と、を備えることを特徴とする。
本発明によれば、アナモフィック光学部品の移動を指示する操作が行われた場合に、実際に光学部品を移動する前に、この光学部品を移動させないことを選択可能なため、誤操作によりアナモフィック光学部品を移動させてしまうことを防止できる。これにより、アナモフィック光学部品を誤って移動させた場合に元の位置に復帰させるための待ち時間の発生を回避できる。
【０００６】
また、本発明は、上記プロジェクターであって、前記光学系制御手段は、前記移動を示す操作が前記アナモフィック光学部品の使用状態への切り替えを示す場合、前記操作検出手段により前記アナモフィック光学部品の移動の可否が検出される前に、前記アナモフィック光学部品が前記画像を拡大する方向に対して垂直方向に前記画像を伸長する伸長処理を実行することを特徴とする。
本発明によれば、アナモフィック光学部品の移動の可否が検出される前に、アナモフィック光学部品が画像を拡大する方向に対して垂直方向に画像が伸長される。これにより、ユーザーは、アナモフィック光学部品の移動が必要か否かをより的確に判断できる。例えば、結果としてアナモフィック光学部品を移動させずに済むこともあり得る。従って、アナモフィック光学部品を移動させる必要がないのに誤って移動させてしまう誤操作を防ぐことができ、待ち時間の発生を抑えることができる。さらに、アナモフィック光学部品の移動の前に伸長処理を実行することにより、アナモフィック光学部品を移動させた場合に、速やかに、画像のアスペクト比を望ましい状態に調整できるという利点がある。
【０００７】
また、本発明は、上記プロジェクターであって、前記光学系制御手段は、前記操作検出手段により前記アナモフィック光学部品を移動させないことが検出された場合に、前記画像に対して実行された前記伸長処理を解除することを特徴とする。
本発明によれば、アナモフィック光学部品を移動させない場合に伸長処理を解除して、もとの投射状態に速やかに復帰することができ、待ち時間を短縮できる。
【０００８】
また、本発明は、上記プロジェクターであって、光学系制御手段は、前記移動を示す操作が前記アナモフィック光学部品の不使用状態への切り替えを示す場合、前記操作検出手段により前記アナモフィック光学部品の移動の可否が検出される前に、前記アナモフィック光学部品が前記画像を拡大する方向に対して垂直方向に前記画像を縮小する縮小処理を実行することを特徴とする。
本発明によれば、アナモフィック光学部品の移動の可否が検出される前に、アナモフィック光学部品が画像を拡大する方向に対して垂直方向に画像が縮小される。これにより、ユーザーは、アナモフィック光学部品の移動が必要か否かをより的確に判断できる。例えば、結果としてアナモフィック光学部品を移動させずに済むこともあり得る。従って、アナモフィック光学部品を移動させる必要がないのに誤って移動させてしまう誤操作を防ぐことができ、待ち時間の発生を抑えることができる。さらに、アナモフィック光学部品の移動の前に縮小処理を実行することにより、アナモフィック光学部品を移動させた場合に、速やかに、画像のアスペクト比を望ましい状態に調整できるという利点がある。
【０００９】
また、本発明は、上記プロジェクターであって、前記光学系制御手段は、前記操作検出手段により前記アナモフィック光学部品を移動させないことが検出された場合に、前記画像に対して実行された前記縮小処理を解除することを特徴とする。
本発明によれば、アナモフィック光学部品を移動させない場合に縮小処理を解除して、もとの投射状態に速やかに復帰することができ、待ち時間を短縮できる。
【００１０】
また、上記目的を達成するために、本発明は、画像のアスペクト比を変換するアナモフィック光学部品を備え、光源から射出された光を変調して画像を投射するプロジェクターの制御方法であって、外部から前記アナモフィック光学部品の移動を示す操作を検出するステップと、検出された移動を示す操作に応じて前記アナモフィック光学部品を移動する移動ステップと、前記アナモフィック光学部品を移動する前に、前記アナモフィック光学部品の移動の可否を選択可能とするステップと、を備えることを特徴とする。
本発明によれば、アナモフィック光学部品の移動を指示する操作が行われた場合に、実際に光学部品を移動する前に、この光学部品を移動させないことを選択可能なため、誤操作によりアナモフィック光学部品を移動させてしまうことを防止できる。これにより、アナモフィック光学部品を誤って移動させた場合に元の位置に復帰させるための待ち時間の発生を回避できる。
【発明の効果】
【００１１】
本発明によれば、誤操作によってアナモフィック光学部品を移動させてしまうことを防止し、待ち時間を回避できる。
【図面の簡単な説明】
【００１２】
【図１】プロジェクターの機能ブロック図である。
【図２】アナモフィックレンズを使用してアスペクト比を変換する処理の例を示す説明図であり、（Ａ）は入力画像データの例を示し、（Ｂ）は画像処理によりアスペクト比を変換した例を示し、（Ｃ）はアナモフィックレンズを通して投射される画像の例を示す。
【図３】プロジェクターの動作を示すフローチャートである。
【図４】プロジェクターの動作を示すフローチャートである。
【図５】アナモフィックレンズおよび画像処理を使用してアスペクト比を変換する処理の例を示す説明図であり、（Ａ）は画像データＤの例を示し、（Ｂ）はアナモフィックレンズを通して投射される画像の例を示し、（Ｃ）は画像処理によりアスペクト比を変換した例を示し、（Ｄ）は画像処理後にアナモフィックレンズを通して投射される画像の例を示す。
【発明を実施するための形態】
【００１３】
以下、図面を参照して本発明を適用した実施形態について説明する。
図１は、実施形態に係るプロジェクター１の機能的構成を示すブロック図である。投射面としてのスクリーンＳＣに画像を投射するプロジェクター１は、パーソナルコンピューターや各種画像プレーヤー等の外部の画像供給装置（図示略）から入力される画像データＤに基づいて、画像をスクリーンＳＣに投射する。
プロジェクター１に入力される画像データＤは、動画像（映像）のデータであっても静止画像のデータであってもよく、プロジェクター１は映像をスクリーンＳＣに投射することも、静止画像をスクリーンＳＣに投射し続けることも可能である。また、本実施形態では、プロジェクター１にはデジタル画像データである画像データＤが入力される構成について説明する。プロジェクター１は、外部から入力されるアナログ画像信号をＡ／Ｄ変換し、このアナログ画像信号に基づく画像を投射する構成としてもよい。
【００１４】
プロジェクター１は、光学的な画像の形成を行う投射部２０（投射手段）と、この投射部２０に入力される画像信号を電気的に処理する画像処理系とを備え、これらの各部は制御部１０の制御に従って動作する。
投射部２０は、光源部２１、光変調装置２２、投射光学系２３から構成される。光源部２１は、キセノンランプ、超高圧水銀ランプ、ＬＥＤ（Ｌｉｇｈｔ  Ｅｍｉｔｔｉｎｇ  Ｄｉｏｄｅ）、レーザー光源等の光源を備えている。また、光源部２１は、上記光源の光を光変調装置２２に導くリフレクター及び補助リフレクターや、上記光源の光を光変調装置２２に至る経路上で減光させる調光素子（図示略）等を備えてもよい。光源部２１には、光源駆動部３４が接続されている。光源駆動部３４は、後述する制御部１０の制御に従って、光源部２１への電力供給を制御し、光源部２１の光源を点灯および消灯させる。
【００１５】
光変調装置２２は、後述する画像処理系からの信号を受けて、光源部２１が発した光を変調して画像光とする。光変調装置２２の具体的な構成としては、例えば、ＲＧＢの各色に対応した３枚の透過型または反射型の液晶パネル（図示略）を用いた方式が挙げられる。この場合、光変調装置２２には、光源部２１が発した光がダイクロイックミラー等によりＲ、Ｇ、Ｂの各色光に分離されて入射し、光変調装置２２が備える各色の液晶パネルによって各色光が変調され、その後、クロスダイクロイックプリズムにより各色光が合成されて、投射光学系２３に導かれる。本実施形態では、光変調装置２２が透過型液晶パネルを備えた構成とする。光変調装置２２は、後述する光変調装置駆動部３３によって駆動され、マトリクス状に配置された各画素における光の透過率を変化させることにより、画像を形成する。
【００１６】
投射光学系２３は、光変調装置２２により変調された画像光をスクリーンＳＣに投射する投射レンズ２４を備えている。投射レンズ２４は、具体的には複数のレンズからなるレンズ群により構成される。投射レンズ２４の位置を調整することにより、スクリーンＳＣ上の投射画像のフォーカス調整および投射画像の拡大・縮小を調整するズーム調整が可能である。投射レンズ２４には、制御部１０の制御に従って投射レンズ２４を動かしてフォーカス調整を行うフォーカス調整部２６と、制御部１０の制御に従って投射レンズ２４を動かしてズーム調整を行うズーム調整部２７とが連結されている。
【００１７】
また、投射光学系２３は、光変調装置２２により変調された画像光のアスペクト比を変換するアナモフィックレンズ４２（アナモフィック光学部品）を備えている。アナモフィックレンズ４２は、アナモフィックレンズ４２を移動するレンズ移動機構４１、レンズ移動機構４１を駆動するモーター４５、およびアナモフィックレンズ４２の位置を検出する位置検出部４６とともに、アナモフィックレンズユニット４０に組み込まれている。ここで、レンズ移動機構４１およびモーター４５は、特許請求の範囲における移動手段に相当する。
【００１８】
レンズ移動機構４１は、アナモフィックレンズ４２をスライド移動する機構を有し、減速機構等を介してモーター４５に連結されている。アナモフィックレンズ４２は、レンズ移動機構４１の機構により案内されて、投射光学系２３の光路、すなわち投射レンズ２４の光軸上に進入および退出するように動作する。すなわち、プロジェクター１は、アナモフィックレンズ４２を移動させることにより、投射レンズ２４を通った画像光がアナモフィックレンズ４２を通ってスクリーンＳＣに投射される状態（以下、アナモフィックレンズ４２の使用状態という）と、投射レンズ２４を通った光がアナモフィックレンズ４２を通らずにスクリーンＳＣに投射される状態（以下、不使用状態という）とを切り替え可能な構成である。
【００１９】
モーター４５は、後述する制御部１０の制御に従って、正転および逆転動作する。レンズ移動機構４１は、モーター４５の回転方向に対応する方向に、アナモフィックレンズ４２を移動する。従って、アナモフィックレンズ４２の移動方向、および移動量を、制御部１０が制御可能である。
位置検出部４６は、アナモフィックレンズ４２の位置を検出する。位置検出部４６は、制御部１０が位置検出部４６によってアナモフィックレンズ４２の現在の位置を検出できればよく、具体的な構成は任意である。例えば、位置検出部４６は、レンズ移動機構４１に設けたリニアエンコーダーによりアナモフィックレンズ４２の位置を直接検出する構成としてもよい。また、位置検出部４６は、モーター４５の回転量を検出するロータリーエンコーダーや、モーター４５がステッピングモーターで構成される場合にはモーター４５の動作ステップ数をカウントするカウンターとして構成することもできる。
【００２０】
プロジェクター１の画像処理系は、プロジェクター１全体を統合的に制御する制御部１０を中心に構成され、制御部１０が処理するデータや制御部１０が実行する制御プログラムを記憶した記憶部１５、リモコン５０による操作を検出する信号受信部１６（操作検出手段）、操作パネル５５における操作を検出する操作部１７（操作検出手段）、画像データＤが入力される画像入力部１８、画像入力部１８に入力された画像データＤを処理する画像処理部３１、画像処理部３１から出力される画像信号に基づいて光変調装置２２を駆動して描画を行う光変調装置駆動部３３を備えている。
制御部１０は、記憶部１５に記憶された制御プログラムを読み出して実行することにより、プロジェクター１の各部を制御する。制御部１０は、信号受信部１６または操作部１７から入力される操作情報に基づいて、ユーザーが行った操作の内容を検出し、この操作に応じて画像処理部３１、光変調装置駆動部３３、光源駆動部３４、フォーカス調整部２６、ズーム調整部２７、および、アナモフィックレンズユニット４０を制御して、スクリーンＳＣに画像を投射させる。
【００２１】
プロジェクター１は、ユーザーがリモコン５０および操作パネル５５に操作を入力することによって操作可能に構成されている。リモコン５０は、複数の入力キー５１を備え、操作された入力キー５１に対応する操作信号を、例えば赤外線無線信号としてプロジェクター１へ無線送信する。信号受信部１６は、プロジェクター１を操作するリモコン５０が送信する無線信号を受信してデコードし、リモコン５０で操作された入力キー５１を特定する。信号受信部１６は、検出した入力キー５１を示す操作情報を生成して、制御部１０に出力する。
また、操作パネル５５は、例えばプロジェクター１の本体に設けられ、複数の入力キー５６を備えている。操作パネル５５には操作部１７が接続されている。操作部１７は、操作パネル５５において操作された入力キー５６を示す操作情報を生成して、制御部１０に出力する。また、操作部１７は、制御部１０の制御に従い、プロジェクター１の動作状態や設定状態に応じて操作パネル５５のインジケーターランプの点灯状態を制御する。
【００２２】
画像入力部１８は、外部から入力される画像データＤのスケーリング処理を実行し、処理後の画像データを画像処理部３１に出力する。ここで、画像入力部１８は、例えば、デジタル映像信号が入力されるＤＶＩ（Ｄｉｇｉｔａｌ  Ｖｉｓｕａｌ  Ｉｎｔｅｒｆａｃｅ）インターフェイス、ＵＳＢインターフェイス及びＬＡＮインターフェイスや、ＨＤＭＩ（登録商標）規格に準拠したＨＤＭＩコネクター等、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）が策定したＤｉｓｐｌａｙＰｏｒｔ（商標）規格に準拠したコネクター等を有するインターフェイスを備えている。
【００２３】
画像処理部３１は、制御部１０の制御に従って、画像入力部１８が出力した画像データＤを取得して、画像データＤについて、画像サイズや解像度、静止画像か動画像であるか、動画像である場合はフレームレート等の属性などを判定する。そして、画像処理部３１は、フレーム毎にフレームメモリー３２に画像を展開する。また、画像処理部３１は、取得した画像データＤの解像度が光変調装置２２の液晶パネルの表示解像度と異なる場合には解像度変換処理を行い、リモコン５０や操作パネル５５の操作によりズームが指示された場合には拡大／縮小処理を行って、これらの処理後の画像をフレームメモリー３２に展開する。その後、画像処理部３１は、フレームメモリー３２に展開したフレーム毎の画像を表示信号として光変調装置駆動部３３に出力する。
【００２４】
制御部１０は、記憶部１５に記憶された制御プログラムを実行することにより、投射制御部１１、フォーカス制御部１２、およびレンズ移動制御部１３の機能を実現する。
投射制御部１１は、信号受信部１６または操作部１７によって検出された操作に従って、プロジェクター１の各部を初期化するとともに、光源駆動部３４、画像処理部３１及び光変調装置駆動部３３を制御して画像を投射させる。
フォーカス制御部１２は、信号受信部１６または操作部１７によって検出された操作に従って、フォーカス調整部２６およびズーム調整部２７を動作させ、フォーカス調整、ズーム調整を実行する。
レンズ移動制御部１３は、信号受信部１６または操作部１７によって検出された操作に従って、アナモフィックレンズユニット４０のモーター４５を駆動し、アナモフィックレンズ４２を移動させて、アナモフィックレンズ４２の使用状態と不使用状態とを切り替える。また、レンズ移動制御部１３は、位置検出部４６によってアナモフィックレンズ４２の位置を検出する。ここで、レンズ移動制御部１３は、特許請求の範囲における光学系制御手段に相当する。
【００２５】
図２は、アナモフィックレンズ４２を使用して画像のアスペクト比を変換する処理の例を示す図である。図２（Ａ）は、画像データＤが示す画像１０１を示し、図２（Ｂ）は、図２（Ａ）の画像１０１に対してアスペクト比を変換する画像処理が実行された画像１０２を示し、図２（Ｃ）は、図２（Ｂ）の画像１０２を示す画像光がアナモフィックレンズ４２を通して投射される画像１０３を示す。
【００２６】
プロジェクター１は、アナモフィックレンズ４２を用い、アスペクト比を変換してスクリーンＳＣに投射することが可能であり、具体的には、光変調装置２２の描画領域のアスペクト比よりも横長の画像を投射できる。アナモフィックレンズ４２は、例えば、アスペクト比１６：９の画像を２．４：１のシネマスコープサイズに変換するレンズである。
一例として、図２（Ａ）に示すように、画像データＤが、アスペクト比１６：９のフレーム１００に、２．４：１の画像１０１を含むものであった場合を想定する。また、光変調装置２２の描画領域は１６：９に対応しているものとする。この場合、プロジェクター１に入力される画像データＤは、上下に黒帯を有するレターボックスとなる。この画像データＤを、アナモフィックレンズ４２を使用しないで投射する場合、光変調装置２２には図２（Ａ）に示すように黒帯を伴う画像１０１が描画され、スクリーンＳＣに投射される。ここで投射される画像１０１は、アスペクト比が２．４：１となっているが、光変調装置２２の描画領域のうち一部が黒帯となって使用されないため、スクリーンＳＣ上の投射可能領域よりも小さく投射される。ズーム調整部２７の機能により拡大して投射することも可能であるが、光変調装置２２の描画領域全体に描画する場合に比べて画質と明るさはやや劣る。
【００２７】
アナモフィックレンズ４２を使用して投射する場合、レンズ移動制御部１３は、画像処理部３１を制御して、画像データＤのアスペクト比を縦方向（垂直方向）に引き延ばす画像処理（伸長処理）を行う。これにより、図２（Ｂ）に示すように、プロジェクター１は、１６：９のフレーム１００のほぼ全体に引き延ばされて縦長になった画像１０２を投射する。この図２（Ｂ）に示す画像１０２は、光変調装置２２の描画領域のほぼ全体を使って描画される。
そして図２（Ｃ）に示すように、プロジェクター１は、図２（Ｂ）の画像１０２が示す画像光がアナモフィックレンズ４２を通ることにより、アスペクト比２．４：１の画像１０３をスクリーンＳＣに投射する。画像１０３は、光変調装置２２の描画領域のほぼ全体に描画されるので、図２（Ａ）に示す画像１０１に比べて、画質と明るさが良好である。
【００２８】
図２（Ｂ）および（Ｃ）に示すように投射を行う場合、リモコン５０または操作パネル５５の操作により、アナモフィックレンズ４２の使用が指示され、レンズ移動制御部１３がモーター４５を駆動して、アナモフィックレンズ４２を投射光学系２３の光路上に移動させる。
この移動には時間がかかるため、レンズ移動制御部１３は、信号受信部１６または操作部１７によってアナモフィックレンズ４２の移動を指示する操作が検出された場合に、実際にモーター４５を駆動する前に、アナモフィックレンズ４２を移動するか否かの確認を求める画面を投射させる。この画面が投射された状態で、リモコン５０または操作パネル５５の操作によって再びアナモフィックレンズ４２の移動が指示された場合に、レンズ移動制御部１３はモーター４５を動かしてアナモフィックレンズ４２を使用状態にする。
【００２９】
図３は、プロジェクター１の動作を示すフローチャートであり、特に、リモコン５０または操作パネル５５の操作によりアナモフィックレンズ４２の使用状態への移動が指示された場合の動作を示す。
信号受信部１６または操作部１７によって、アスペクト比の変更に関する指示が検出された場合（ステップＳ１１）、レンズ移動制御部１３は、アスペクト比の設定を行う設定メニュー画面を投射部２０により入力画像に重畳させて投射させる（ステップＳ１２）。レンズ移動制御部１３は、この設定メニュー画面の投射中に、信号受信部１６または操作部１７により、アスペクト比の設定としてアナモフィックレンズ４２を使用するモード（アナモフィックモード）が選択される操作を検出したか否かを判定する（ステップＳ１３）。具体的には、例えば、当該設定メニュー画面からユーザーがリモコン５０または操作パネル５５を操作して数種類のアスペクト比のうちアナモフィックモードを選択する。アナモフィックモードが選択される操作が検出されないまま設定メニュー画面の投射を終了する場合（ステップＳ１３；Ｎｏ）、レンズ移動制御部１３は設定メニュー画面の投射を終了し、本処理を終了する。
【００３０】
一方、アナモフィックモードが選択される操作が検出された場合（ステップＳ１３；Ｙｅｓ）、レンズ移動制御部１３は、アナモフィックレンズ４２の使用に対応して、図２（Ａ）に示した画像データＤを垂直方向に伸長する伸長処理を、画像処理部３１によって実行する（ステップＳ１４）。ここで、プロジェクター１が投射する画像は、図２（Ｂ）に示したように縦長の画像となる。
続いて、レンズ移動制御部１３は、位置検出部４６によりアナモフィックレンズ４２の位置を検出して、検出した位置に基づいてアナモフィックレンズ４２が不使用状態であるか否かを判定する（ステップＳ１５）。アナモフィックレンズ４２が投射光学系２３の光路上にある、即ちアナモフィックレンズ４２が使用状態である場合（ステップＳ１５；Ｎｏ）、レンズ移動制御部１３は、本処理を終了する。この場合、プロジェクター１が投射する画像は、ステップＳ１４で伸長処理が施されて、かつアナモフィックレンズ４２を通して投射されるため、好適な状態で投射されている。
【００３１】
アナモフィックレンズ４２が不使用状態である場合（ステップＳ１５；Ｙｅｓ）、レンズ移動制御部１３は、アナモフィックレンズ４２を移動させて使用状態に切り替えるかどうかを確認する確認メニュー画面を、画像処理部３１によって描画させて、スクリーンＳＣに投射する（ステップＳ１６）。この確認メニュー画面は、例えば、アナモフィックレンズ４２を移動させて使用状態にするか否かを入力するように案内するメッセージが表示され、アナモフィックレンズ４２の移動の可否を選択可能となっている画面である。
【００３２】
そして、レンズ移動制御部１３は、確認メニュー画面の表示中に入力された操作がアナモフィックレンズ４２の移動を選択する操作か否かを判定する（ステップＳ１７）。ここで、アナモフィックレンズ４２の移動が選択された場合（ステップＳ１７；Ｙｅｓ）、レンズ移動制御部１３は、モーター４５を駆動させてアナモフィックレンズ４２を投射光学系２３の光路上に移動させて使用状態にし（ステップＳ１８）、本処理を終了する。これに対し、アナモフィックレンズ４２を移動しないことが選択された場合（ステップＳ１７；Ｎｏ）、レンズ移動制御部１３は、ステップＳ１４で実行した伸長処理を解除して、投射される画像のアスペクト比を入力画像データの状態にし（ステップＳ１９）、本処理を終了する。
【００３３】
図４は、プロジェクター１の動作を示すフローチャートであり、特に、リモコン５０または操作パネル５５の操作によりアナモフィックレンズ４２の不使用状態への移動が指示された場合の動作を示す。
信号受信部１６または操作部１７によって、アスペクト比の変更に関する指示が検出された場合（ステップＳ３１）、レンズ移動制御部１３は、ステップＳ１２と同様にアスペクト比の設定を行う設定メニュー画面を入力画像に重畳させて投射させる（ステップＳ３２）。レンズ移動制御部１３は、この設定メニュー画面の投射中に、アスペクト比の設定としてアナモフィックレンズ４２を使用しないモードが選択される操作、すなわちアナモフィックモードを解除する操作を検出したか否かを判定する（ステップＳ３３）。この操作は、例えば、設定メニュー画面からユーザーがリモコン５０または操作パネル５５を操作して数種類のアスペクト比のうち、アナモフィックモード以外のアスペクト比を選択する操作である。アナモフィックモードの解除が選択される操作が検出されないまま設定メニュー画面の投射を終了する場合（ステップＳ３３；Ｎｏ）、レンズ移動制御部１３は設定メニュー画面の投射を終了し、本処理を終了する。
【００３４】
一方、アナモフィックモードの解除が選択される操作が検出された場合（ステップＳ３３；Ｙｅｓ）、レンズ移動制御部１３は、アナモフィックレンズ４２を使用しなくなることに対応して、画像処理部３１によって圧縮処理を実行する（ステップＳ３４）。この圧縮処理は、図２（Ｂ）に示したように伸長処理が施された画像のアスペクト比を、もとの図２（Ａ）に示す状態に戻すため、アナモフィックレンズ４２が画像を拡大する方向に対し垂直な方向に、画像を圧縮する処理である。ここで、図２で説明した例では、アナモフィックレンズ４２を使用して投射されている図２（Ｃ）の画像１０３に対して、アナモフィックレンズ４２が画像を拡大する方向に対し垂直な方向に圧縮処理が実行されるので、プロジェクター１が投射する画像は、横長の画像となり、且つ図２（Ａ）の画像１０１のように上下に黒い領域が形成される画像となる。
続いて、レンズ移動制御部１３は、位置検出部４６によりアナモフィックレンズ４２の位置を検出して、検出した位置に基づいてアナモフィックレンズ４２が使用状態であるか否かを判定する（ステップＳ３５）。アナモフィックレンズ４２が投射光学系２３の光路上にない、即ちアナモフィックレンズ４２が不使用状態である場合（ステップＳ３５；Ｎｏ）、レンズ移動制御部１３は、本処理を終了する。この場合、プロジェクター１が投射する画像は、ステップＳ３４で圧縮処理が施されて、かつアナモフィックレンズ４２を通さないで投射されている。この画像は、もとの画像データＤと同じアスペクト比、或いは、リモコン５０または操作パネル５５の操作により指定された通常のアスペクト比となっており、好適な状態で投射されている。すなわち、圧縮処理の実行は、伸長処理を解除することに相当する。
【００３５】
アナモフィックレンズ４２が使用状態である場合（ステップＳ３５；Ｙｅｓ）、レンズ移動制御部１３は、アナモフィックレンズ４２を移動させて不使用状態に切り替えるかどうかを確認する確認メニュー画面を、画像処理部３１によって描画させて、スクリーンＳＣに投射する（ステップＳ３６）。この確認メニュー画面は、例えば、アナモフィックレンズ４２を移動させて不使用状態にするか否かを入力するように案内するメッセージが表示され、アナモフィックレンズ４２の移動の可否を選択可能となっている画面である。
【００３６】
そして、レンズ移動制御部１３は、確認メニュー画面の表示中に入力された操作がアナモフィックレンズ４２の移動を選択する操作か否かを判定する（ステップＳ３７）。ここで、アナモフィックレンズ４２の移動が選択された場合（ステップＳ３７；Ｙｅｓ）、レンズ移動制御部１３は、モーター４５を駆動させてアナモフィックレンズ４２を投射光学系２３の光路上から待機位置に移動させて不使用状態にし（ステップＳ３８）、本処理を終了する。これに対し、アナモフィックレンズ４２を移動しないことが選択された場合（ステップＳ３７；Ｎｏ）、レンズ移動制御部１３は、ステップＳ３４で実行した圧縮処理を解除して、投射される画像のアスペクト比を、アナモフィックモードが選択されたときに投射される画像の状態にし（ステップＳ３９）、本処理を終了する。ここで、圧縮処理の解除は、すなわち、伸長処理を実行することに相当する。以上の処理により、アナモフィックモードからアナモフィックレンズ４２の不使用状態のモードに移行する場合に、投射される画像のアスペクト比を、アナモフィックレンズ４２を使用する前の状態に速やかに戻すことができる。また、アナモフィックレンズ４２を移動させる前に確認メニュー画面を投射するので、誤操作を防止できる。
【００３７】
また、プロジェクター１は、アナモフィックレンズ４２が使用状態にある場合も、アスペクト比１６：９の画像を投射することが可能である。例えば、図２に示されるように、プロジェクター１が、画像のアスペクト比が２．４：１の入力画像データが示す画像１０１に伸長処理を実行し、アナモフィックレンズ４２を通した画像１０３を投射している状態で、入力画像データのアスペクト比が２．４：１から１６：９に切り替わった場合に、プロジェクター１は、アナモフィックレンズ４２を使用しつつ入力画像データが示す画像を１６：９の画像として投射できる。
【００３８】
図５は、アナモフィックレンズ４２を使用するとともに画像処理を実行してアスペクト比を変換する処理を説明する。図５（Ａ）は、画像データＤを示す画像２０１を示し、図５（Ｂ）は、図２（Ｂ）の画像１０２と同様の伸長処理が画像２０１に対して実行された画像を示す画像光がアナモフィックレンズ４２を通して投射された画像２０２を示し、図５（Ｃ）は、画像２０１に対してアスペクト比を変換する画像処理が実行された画像２０３を示し、図５（Ｄ）は、図５（Ｃ）の画像２０３を示す画像光がアナモフィックレンズ４２を通して投射された画像２０４を示す。
図５（Ａ）は１６：９のフレーム１００に、同じアスペクト比の画像２０１を含む画像データＤの例を示す。プロジェクター１は、この画像２０１に対し、図２（Ｂ）で説明した垂直方向への伸長処理を実行してアナモフィックレンズ４２によって投射すると、プロジェクター１が投射する画像は、図５（Ｂ）に示すように上下端が切れた画像２０２となってしまう。
【００３９】
そこで、図５（Ｃ）に示されるように、レンズ移動制御部１３が画像処理部３１を制御して、図５（Ａ）に示した画像２０１の画像データＤを、水平方向に圧縮する画像処理を実行する。この画像処理が施された画像２０３は、アスペクト比が１６：９のフレーム１００に対して横幅が圧縮された状態となる。ここで、横幅を圧縮する圧縮率は、アナモフィックレンズ４２が水平方向に画像を拡大する拡大率の逆数とすることが好ましい。
図５（Ｃ）の水平方向に圧縮された画像２０３を光変調装置２２に描画して、アナモフィックレンズ４２を通して投射すると、プロジェクター１が投射する画像は、図５（Ｄ）に示すように、図５（Ａ）の画像２０１のアスペクト比を保ち、かつ、端部が切れていない画像２０４となる。図５（Ｃ）および図５（Ｄ）に示す画像２０３および画像２０４は、アナモフィックレンズ４２を使用して投射される２．４：１の横長の領域に、１６：９の画像を描画または投射しているので、サイドパネル（ピラーボックス）の状態になっている。
このように、プロジェクター１は、アナモフィックレンズ４２を使用しないで投射することが適した画像を、水平方向に圧縮する画像処理を行うことで、アナモフィックレンズ４２を使用状態にしたまま投射できる。
【００４０】
以上説明したように、本発明を適用した実施形態に係るプロジェクター１によれば、入力される画像データＤに基づく画像を投射するプロジェクター１であって、光源部２１から射出された光を変調して画像を投射する投射部２０と、画像のアスペクト比を変換するアナモフィックレンズ４２と、外部からの操作を検出する信号受信部１６および操作部１７と、信号受信部１６または操作部１７により検出された操作に応じてアナモフィックレンズ４２を移動するレンズ移動機構４１と、信号受信部１６または操作部１７によりアナモフィックレンズ４２の移動を示す操作が検出された場合、レンズ移動機構４１によりアナモフィックレンズ４２を移動する前に、アナモフィックレンズ４２の移動の可否を選択可能とするレンズ移動制御部１３と、を備える。これにより、リモコン５０または操作パネル５５によってアナモフィックレンズ４２の移動が指示された場合に、時間のかかるアナモフィックレンズ４２の移動をする前に、アナモフィックレンズ４２を移動させないことを選択可能である。このため、誤操作によりアナモフィックレンズ４２を移動させてしまうことを防止できる。これにより、アナモフィック光学部品を誤って移動させた場合に元の位置に復帰させるための待ち時間の発生を回避できる。
【００４１】
また、レンズ移動制御部１３は、信号受信部１６または操作部１７が検出した操作がアナモフィックレンズ４２の使用状態への切り替えを示す場合、信号受信部１６または操作部１７によりアナモフィックレンズ４２の移動の可否が検出される前に、アナモフィックレンズ４２が画像を拡大する方向に対して垂直方向に画像を伸長する伸長処理を実行する。これにより、ユーザーが、アナモフィックレンズ４２の移動が必要か否かをより的確に判断できる。例えば、結果としてアナモフィックレンズ４２を移動させずに済むこともあり得る。従って、アナモフィックレンズ４２を移動させる必要がないのに誤って移動させてしまう誤操作を防ぐことができ、待ち時間の発生を抑えることができる。さらに、アナモフィックレンズ４２の移動の前に伸長処理を実行することにより、アナモフィックレンズ４２を移動させた場合に、速やかに、画像のアスペクト比を望ましい状態に調整できるという利点がある。
【００４２】
また、レンズ移動制御部１３は、信号受信部１６または操作部１７によりアナモフィックレンズ４２を移動させないことが検出された場合に、画像に対して実行された伸長処理を解除する。これにより、アナモフィックレンズ４２を移動させない場合に伸長処理を解除して、もとの投射状態に速やかに復帰することができ、待ち時間を短縮できる。
【００４３】
また、レンズ移動制御部１３は、信号受信部１６または操作部１７により検出された移動を示す操作がアナモフィックレンズ４２の不使用状態への切り替えを示す場合、信号受信部１６または操作部１７によりアナモフィック光学部品の移動の可否が検出される前に、アナモフィックレンズ４２が画像を拡大する方向に対して垂直方向に画像を縮小（圧縮）する縮小処理を実行する。これにより、ユーザーは、アナモフィックレンズ４２の移動が必要か否かをより的確に判断できる。さらに、アナモフィックレンズ４２の移動の前に圧縮処理を実行することにより、アナモフィックレンズ４２を不使用状態にした場合に、速やかに、画像のアスペクト比を調整できるという利点がある。
【００４４】
また、レンズ移動制御部１３は、信号受信部１６または操作部１７によりアナモフィックレンズ４２を移動させないことが検出された場合に、画像に対して実行された圧縮処理を解除するので、アナモフィックレンズ４２を移動させない場合に、もとの投射状態に速やかに復帰できる。
【００４５】
なお、上述した実施形態は本発明を適用した具体的態様の例に過ぎず、本発明を限定するものではなく、上記実施形態とは異なる態様として本発明を適用することも可能である。例えば、上記実施形態では、光変調装置２２として、ＲＧＢの各色に対応した３枚の透過型の液晶パネル用いた構成を例に挙げて説明したが、本発明はこれに限定されるものではなく、例えば、反射型の液晶パネルを用いてもよいし、ＲＧＢ各色の色光を変調する３枚のデジタルミラーデバイス（ＤＭＤ）を用いた構成とすることもできる。
また、上記実施形態では、アナモフィック光学部品の一例としてアナモフィックレンズ４２を備えた構成について説明したが、本発明はこれに限定されるものではない。本発明のアナモフィック光学部品は、光変調装置２２により変調された画像光のアスペクト比を変換できる光学部品であれば、レンズに限定されず、例えばプリズムを用いることも可能である。また、上記実施形態では、プロジェクター１が、外部の装置から供給される画像データＤに基づく画像を投射する構成を例に挙げて説明したが、プロジェクター１が記憶部１５や他の記憶装置、または可搬型の記憶媒体に記憶された画像データに基づいて、映像や画像を投射する構成とすることも勿論可能である。
【００４６】
また、図１に示した各機能部は、プロジェクター１の機能的構成を示すものであって、具体的な実装形態は特に制限されない。つまり、必ずしも各機能部に個別に対応するハードウェアが実装される必要はなく、プロセッサーがプログラムを実行することで一部の機能部の機能をソフトウェア的に実現する構成とすることも勿論可能であり、その他の細部構成も任意に変更可能である。
【００４７】
また、本実施形態において、設定メニュー画面の投射中の操作によってアスペクト比を変更することで、アナモフィックレンズ４２の使用／不使用の切り替えを選択可能としたが、本発明はこれに限定されない。例えば、前述したアナモフィックモードのアスペクト比で投写するシアターモードやアナモフィックレンズ４２を使用しないで投射するノーマルモードなどの投射モードとアスペクト比とが関連付けられており、これらの投射モードを設定メニュー画面から選択することによって、投射モードの切り換え（設定）が行われるとともに、自動的にアナモフィックレンズ４２の使用／不使用を切り替えることが可能な構成としてもよい。
【００４８】
また、本実施形態において、プロジェクター１が、アスペクト比の設定を行う設定メニュー画面は、入力画像に重畳させて表示する場合を例に挙げて説明したが、本発明はこれに限らず、例えば、光変調装置２２が備える液晶パネル（図示略）において入力画像が形成されていない部分に相当する画像の領域（例えば、図２（Ａ）の画像１０１の黒い領域）に、設定メニュー画面を表示する構成としてもよいし、また、上記液晶パネル（図示略）に形成される入力画像を縮小させて、前述のように画像が形成されていない部分を作り出し、この部分に相当する画像の領域に設定メニュー画面を表示する構成としてもよい。
【符号の説明】
【００４９】
１…プロジェクター、１０…制御部、１１…投射制御部、１２…フォーカス制御部、１３…レンズ移動制御部（光学系制御手段）、１５…記憶部、１６…信号受信部（操作検出手段）、１７…操作部（操作検出手段）、２０…投射部（投射手段）、２１…光源部、２２…光変調装置、２３…投射光学系、２４…投射レンズ、４０…アナモフィックレンズユニット、４１…レンズ移動機構（移動手段）、４２…アナモフィックレンズ（アナモフィック光学部品）、４５…モーター、４６…位置検出部、５０…リモコン、５５…操作パネル、ＳＣ…スクリーン。
【図１】
2013239835.tif 000003
【図２】
2013239835.tif 000004
【図３】
2013239835.tif 000005
【図４】
2013239835.tif 000006
【図５】
2013239835.tif 000007